(57)【特許請求の範囲】
【請求項１】
弁装置と、該弁装置を操作する操作装置とを離隔して配置し、該操作装置と弁装置とを、該操作装置に加えられた操作力をラック部材とピニオンギヤとで交互に運動変換して伝達する操作力の伝達機構で連結するとともに、前記弁装置の側で弁体を直接付勢する状態に且つ付勢力を伝達機構全体に及ぼす状態にばねを設けたことを特徴とする遠隔操作式の水栓装置。
【請求項２】
請求項１において、何れかの前記ラック部材が操作力の伝達経路の方向に分割されていて、該分割されたラック部材同士が可撓性且つ非伸縮性の連結部材にて連結されており、且つ前記ばねが該連結部材を引張させる方向に設けてあることを特徴とする遠隔操作式の水栓装置。
【請求項３】
請求項１，２の何れかにおいて、前記弁装置が主弁体とパイロット弁体とを有し、該主弁体と該パイロット弁体との間に微小間隙を形成しつつ該パイロット弁体の進退移動に追従して該主弁体を同方向に進退移動させるパイロット式弁装置であり、該パイロット弁体に対して前記伝達機構が連結されていて、該パイロット弁体に操作力を伝達するようになしてあることを特徴とする遠隔操作式の水栓装置。
【請求項４】
請求項１〜３の何れかにおいて、前記操作装置が前記弁体を開閉させるプッシュ操作式のプッシュ操作部と、該プッシュ操作部のプッシュ操作で押込運動する押込部材とを有しており、該押込部材の押込運動及び押込位置から引込位置への引込運動により、前記伝達機構の前記操作装置側の始端のラック部材を設定ストロークだけ前進及び後退移動させて、該ラック部材を前進位置と後退位置とで位置切替えし、前記弁体の開弁状態と閉弁状態との状態切替えを行うようになしてあることを特徴とする遠隔操作式の水栓装置。
【請求項５】
請求項１〜３の何れかにおいて、前記操作装置が前記弁体の開弁量の調節を行う回転操作部を有していることを特徴とする遠隔操作式の水栓装置。
【請求項６】
請求項５において、前記回転操作部の回転操作により前記伝達機構の前記操作装置側の始端のラック部材を、該回転操作部の回転操作量に応じた進退量で連続的に進退移動させ、該ラック部材の移動に伴う前記弁体の連続的な進退移動により該弁体の開弁量の調節を行うようになしてあることを特徴とする遠隔操作式の水栓装置。
【請求項７】
請求項６において、前記操作装置が前記回転操作部の回転とともに回転する回転部材を有していて、該回転部材と前記ラック部材とがねじ結合され、該回転部材の回転に伴って該ラック部材がねじ送りで進退移動するものとなしてあることを特徴とする遠隔操作式の水栓装置。
【請求項８】
請求項１〜３の何れかにおいて、前記操作装置が、前記弁体を開閉させるプッシュ操作部及び該プッシュ操作部のプッシュ操作により押し込まれる押込部材と、前記弁体の開弁量の調節を行う回転操作部及び該回転操作部とともに回転する回転部材とを有しており、
該回転部材は前記伝達機構の前記操作装置側の始端のラック部材とねじ結合されていて、それら回転部材とラック部材とがねじ送りで伸縮する伸縮軸を構成しており、
前記プッシュ操作部のプッシュ操作による前記押込部材の押込運動及び押込位置から引込位置への引込運動により、該伸縮軸を伸縮させることなく全体的に設定ストロークだけ前進及び後退移動させて前記ラック部材を前進位置と後退位置とで位置切替えし、前記弁体の開弁状態と閉弁状態の状態切替えを行うとともに、
前記回転操作部の回転操作に伴う前記回転部材の回転により前記伸縮軸をねじ送りで伸縮させて、前記ラック部材を該回転操作部の回転操作量に応じて連続的に進退移動させ、前記弁体の開弁量の調節を行うようになしてあることを特徴とする遠隔操作式の水栓装置。
【請求項９】
請求項４若しくは８の何れかにおいて、前記プッシュ操作部をプッシュ操作するごとに前記押込部材を前記押込位置と引込位置とに位置切替えし且つ位置保持するラッチ機構が設けてあり、且つ該ラッチ機構が、前記操作装置に備えてあることを特徴とする遠隔操作式の水栓装置。
【請求項１０】
請求項９において、前記ラッチ機構に対して前記ラック部材が前記プッシュ操作部の操作方向と直角方向の径方向外側の位置に且つ該径方向に重なる位置に配置してあることを特徴とする遠隔操作式の水栓装置。
【請求項１１】
請求項９，１０の何れかにおいて、前記ばねは、前記弁装置の前記弁体を開弁させる方向に付勢力を及ぼすように設けてあることを特徴とする遠隔操作式の水栓装置。
【請求項１２】
請求項１〜１１の何れかにおいて、前記弁装置が浴室の壁から室内側に突出した洗面器置台の内部に、前記操作装置が該洗面器置台よりも上方で前記壁から室内側に突出したカウンタ部にそれぞれ配置してあり、前記伝達機構がそれら操作装置と弁装置と上下に連結していることを特徴とする遠隔操作式の水栓装置。
【発明の詳細な説明】
【技術分野】
【０００１】
この発明は水栓装置に関し、詳しくは弁装置を操作装置と離隔して配置し、弁装置を操作装置にて遠隔操作するようになした遠隔操作式の水栓装置に関する。
【背景技術】
【０００２】
従来、水栓装置は弁装置に対して操作装置が直接結合した一体形態をなしており、この場合、例えば浴室の壁面から室内側に突出したカウンタ部に水栓装置を設置するとき、弁装置をカウンタ部の内部に収める必要のあることから、必然的にカウンタ部が大型化してしまう。そしてそのことによって水栓装置の設置部周りの美観，意匠性が損なわれてしまう。
【０００３】
また従来の水栓装置では、操作装置の方向と弁装置の方向とを合致させる必要があるため、水栓装置全体の設置の方向が限られてしまい、水栓装置を設置する際の自由度が低いといった問題があった。
この場合、水栓装置における操作装置と弁装置とを別々に構成してそれらを離隔して配置し、弁装置を操作装置にて遠隔操作するようになすことが考えられる。
【０００４】
例えば下記特許文献１には、操作装置と弁装置とを離隔して配置し、弁装置を操作装置にて遠隔操作するようになしたボックス型コックが開示されている。
この特許文献１に開示のものでは、操作部に加えられた操作力をラック部材からピニオンギヤに、更にピニオンギヤからラック部材に、更にラック部材からピニオンギヤへと伝達し、回転式の弁体を操作するようになしている。
【０００５】
この特許文献１に開示のものは、単に弁体を開閉することを目的としたものであり、従って操作部に加えられた操作力を単にピニオンギヤとラック部材とで伝達することで目的を達することができるが、流量調節を必要とする水栓装置において、操作装置から弁装置への操作力の伝達経路をこれらピニオンギヤとラック部材とで構成するだけであると、ギヤとギヤとの噛合い部分のバックラッシに基いて発生する隙間（遊び）によって、流調操作部の操作位置が同一であっても、流量を増大させるときと減少させるときとで流量が異なってしまう、所謂ヒステリシス現象を起してしまい、水栓装置の性能を落してしまう。
【０００６】
また下記特許文献２に開示しているように流量調節と吐水及び止水の状態切替えとを同じ操作装置の別々の操作部を操作することによって行い、且つ止水操作後において吐水操作を行ったときに、前回調節済みの流量で吐水を行う、操作装置が複雑な構造をなしている水栓装置において、どのようにしてその操作装置における各操作を弁体に伝達して、目的とする動作を行わせるようにするかが問題となる。
【０００７】
【特許文献１】実開昭５４−５８６４３号公報
【特許文献２】特開２００７−４６７７０号公報
【発明の開示】
【発明が解決しようとする課題】
【０００８】
本発明は以上のような事情を背景とし、操作装置と弁装置とを離隔して別々に設置することを可能となして水栓装置の設置部周りの美観，意匠性を良好となし、且つ操作装置における操作を正確に弁装置に伝え得て、弁装置を適正に動作させることのできる遠隔操作式の水栓装置を提供することを目的としてなされたものである。
【課題を解決するための手段】
【０００９】
而して請求項１のものは、弁装置と、該弁装置を操作する操作装置とを離隔して配置し、該操作装置と弁装置とを、該操作装置に加えられた操作力をラック部材とピニオンギヤとで交互に運動変換して伝達する操作力の伝達機構で連結するとともに、前記弁装置の側で弁体を直接付勢する状態に且つ付勢力を伝達機構全体に及ぼす状態にばねを設けたことを特徴とする。
【００１０】
請求項２のものは、請求項１において、何れかの前記ラック部材が操作力の伝達経路の方向に分割されていて、該分割されたラック部材同士が可撓性且つ非伸縮性の連結部材にて連結されており、且つ前記ばねが該連結部材を引張させる方向に設けてあることを特徴とする。
【００１１】
請求項３のものは、請求項１，２の何れかにおいて、前記弁装置が主弁体とパイロット弁体とを有し、該主弁体と該パイロット弁体との間に微小間隙を形成しつつ該パイロット弁体の進退移動に追従して該主弁体を同方向に進退移動させるパイロット式弁装置であり、該パイロット弁体に対して前記伝達機構が連結されていて、該パイロット弁体に操作力を伝達するようになしてあることを特徴とする。
【００１２】
請求項４のものは、請求項１〜３の何れかにおいて、前記操作装置が前記弁体を開閉させるプッシュ操作式のプッシュ操作部と、該プッシュ操作部のプッシュ操作で押込運動する押込部材とを有しており、該押込部材の押込運動及び押込位置から引込位置への引込運動により、前記伝達機構の前記操作装置側の始端のラック部材を設定ストロークだけ前進及び後退移動させて、該ラック部材を前進位置と後退位置とで位置切替えし、前記弁体の開弁状態と閉弁状態との状態切替えを行うようになしてあることを特徴とする。
【００１３】
請求項５のものは、請求項１〜３の何れかにおいて、前記操作装置が前記弁体の開弁量の調節を行う回転操作部を有していることを特徴とする。
【００１４】
請求項６のものは、請求項５において、前記回転操作部の回転操作により前記伝達機構の前記操作装置側の始端のラック部材を、該回転操作部の回転操作量に応じた進退量で連続的に進退移動させ、該ラック部材の移動に伴う前記弁体の連続的な進退移動により該弁体の開弁量の調節を行うようになしてあることを特徴とする。
【００１５】
請求項７のものは、請求項６において、前記操作装置が前記回転操作部の回転とともに回転する回転部材を有していて、該回転部材と前記ラック部材とがねじ結合され、該回転部材の回転に伴って該ラック部材がねじ送りで進退移動するものとなしてあることを特徴とする。
【００１６】
請求項８のものは、請求項１〜３の何れかにおいて、前記操作装置が、前記弁体を開閉させるプッシュ操作部及び該プッシュ操作部のプッシュ操作により押し込まれる押込部材と、前記弁体の開弁量の調節を行う回転操作部及び該回転操作部とともに回転する回転部材とを有しており、該回転部材は前記伝達機構の前記操作装置側の始端のラック部材とねじ結合されていて、それら回転部材とラック部材とがねじ送りで伸縮する伸縮軸を構成しており、前記プッシュ操作部のプッシュ操作による前記押込部材の押込運動及び押込位置から引込位置への引込運動により、該伸縮軸を伸縮させることなく全体的に設定ストロークだけ前進及び後退移動させて前記ラック部材を前進位置と後退位置とで位置切替えし、前記弁体の開弁状態と閉弁状態の状態切替えを行うとともに、前記回転操作部の回転操作に伴う前記回転部材の回転により前記伸縮軸をねじ送りで伸縮させて、前記ラック部材を該回転操作部の回転操作量に応じて連続的に進退移動させ、前記弁体の開弁量の調節を行うようになしてあることを特徴とする。
【００１７】
請求項９のものは、請求項４若しくは８の何れかにおいて、前記プッシュ操作部をプッシュ操作するごとに前記押込部材を前記押込位置と引込位置とに位置切替えし且つ位置保持するラッチ機構が設けてあり、且つ該ラッチ機構が、前記操作装置に備えてあることを特徴とする。
【００１８】
請求項１０のものは、請求項９において、前記ラッチ機構に対して前記ラック部材が前記プッシュ操作部の操作方向と直角方向の径方向外側の位置に且つ該径方向に重なる位置に配置してあることを特徴とする。
【００１９】
請求項１１のものは、請求項９，１０の何れかにおいて、前記ばねは、前記弁装置の前記弁体を開弁させる方向に付勢力を及ぼすように設けてあることを特徴とする。
【００２０】
請求項１２のものは、請求項１〜１１の何れかにおいて、前記弁装置が浴室の壁から室内側に突出した洗面器置台の内部に、前記操作装置が該洗面器置台よりも上方で前記壁から室内側に突出したカウンタ部にそれぞれ配置してあり、前記伝達機構がそれら操作装置と弁装置と上下に連結していることを特徴とする。
【発明の作用・効果】
【００２１】
以上のように請求項１のものは、弁装置と操作装置とを離隔して配置し、そしてその操作装置と弁装置とを、操作装置に加えられた操作力をラック部材とピニオンギヤとで交互に運動変換して伝達する操作力の伝達機構で連結するとともに、弁装置の側で弁体を直接付勢する状態に且つ付勢力を伝達機構全体に及ぼす状態にばねを設けたものである。
【００２２】
この請求項１によれば、操作装置に加えられた操作力をピニオンギヤを介して弁装置の側に伝達するため、操作装置及び弁装置をピニオンギヤ周りに角度を変えて設置することが可能となり、水栓装置を設置するに際して操作装置や弁装置の向きを自由に設定でき、水栓装置の設置の自由度を高めることができる。
また操作装置と弁装置とを別々に離して設置できるため、水栓装置の設置の際のレイアウトの自由度が高まる。
【００２３】
この請求項１では、弁装置の側で弁体を直接付勢する状態にばねを設け、そしてそのばねを伝達機構全体に及ぼすようにしていることから、ギヤの歯と歯との間のバックラッシに基いて遊び（隙間）が生じていても、ピニオンギヤとラックギヤの各歯面を操作力の伝達方向に接触状態に保つことができ、バックラッシに基いて操作力が弁装置に適正に伝達されず、そのことによって操作装置の操作に対する弁装置の応答性が悪化する問題を解消することができる。即ち操作部の操作に正確に対応して弁装置を動作させることが可能となる。
【００２４】
従ってこの請求項１を給水と給水停止及び給水量変化させる単水栓装置等の給水装置に適用し、その操作装置の側で流調操作部を操作して流調，即ち給水量（吐水量）調節を行う場合、流量を増大させるときと減少させるときとで、流調操作部の操作位置が同一であっても流量が異なってしまうヒステリシス現象の発生を防止することができる。
【００２５】
また請求項１を、湯側弁体と水側弁体とを有し且つそれらの弁開度を互いに逆の関係で大小変化させて湯水の混合比率（即ち混合水温度）を変化させる湯水混合弁装置に適用し、操作装置の側で温調操作部を操作して何れかの弁体、例えば湯側弁体の開弁量を調節することにより混合水温度を変化させる場合、混合水温度を上昇させる場合と低下させる場合とで、温調操作部の操作位置が同一であっても混合水温度が異なってしまう現象の発生を防止することができる。
【００２６】
次に請求項２は、伝達機構における何れかのラック部材を操作力の伝達経路の方向に分割して、それらを可撓性且つ非伸縮性の連結部材にて連結するとともに、上記のばねを連結部材を引張させる方向に設けたものである。
【００２７】
この請求項２によれば、操作装置から弁装置への操作力の伝達経路上に障害物があるような場合においても、連結部材を曲り状態に配置することで、その障害物との干渉を回避して伝達機構を配置し、以って操作装置と弁装置とを良好に作動的に連結状態となすことができる。
【００２８】
またこの請求項２では、ばねがその連結部材を引張させる方向に付勢力を働かせているため、連結部材が緩むことによって操作力が良好に伝達されなくなるのを防止し、操作装置に加えられた操作力を連結部材を介して確実に弁装置へと伝達し、これを動作させることができる。
【００２９】
ここで連結部材として可撓性且つ非伸縮性の線材、例えば金属ワイヤーを好適に用いることができる。
また連結部材を曲り状態に配置するに際し、これを所定個所に設けた滑車等に掛けるようにして配置し、これを曲り状態に且つ引張状態に設けることができる。
【００３０】
請求項３は、弁装置を、主弁体とパイロット弁体とを有し、パイロット弁体との間に微小間隙を形成しつつパイロット弁体の進退移動に追従して主弁体を同方向に進退移動させるパイロット式弁装置として構成し、そしてそのパイロット弁体に伝達機構を連結して、パイロット弁体に操作力を伝達するようになしたものである。
【００３１】
上記ピニオンギヤとラックギヤとの噛合いにより操作力を伝達する伝達機構では、操作力の伝達効率が低くなるのを避けられないが、その場合においてもこの請求項３によれば、小さな操作荷重で弁装置を作動させることができ、僅かな力で弁体を移動させ得て軽い操作で弁装置を操作することが可能となる。
【００３２】
請求項４は、操作装置に弁体を開閉させるプッシュ操作部と、これをプッシュ操作することで押込運動する押込部材とを設け、その押込部材の押込運動及び押込位置から引込位置への引込運動により、伝達機構の操作装置側の始端のラック部材を設定ストロークだけ前進及び後退移動させて、ラック部材を前進位置と後退位置とで位置切替えし、弁体の開弁状態と閉弁状態との状態切替えを行うようになしたもので、この請求項４によれば、プッシュ操作部のプッシュ操作によって確実に弁体を一定ストロークだけ進退移動させることができ、かかる弁体の開弁状態と閉弁状態との状態切替を遠隔操作にて行うことができる。
【００３３】
この場合において請求項４を上記の単水栓装置等の給水装置に適用して、プッシュ操作部を吐止水操作部として構成し、そのプッシュ操作によって吐止水を行うようになすことができる。
また請求項４を上記の湯水混合弁装置に適用して、プッシュ操作部を例えば湯側弁体の開閉を行う開閉操作部として構成し、そのプッシュ操作部によって湯側弁体を開弁状態と閉弁状態とに状態切替えすることで、湯水混合弁装置を、混合水吐水状態と水のみを吐水する水吐水状態とに状態切替えするようになすことができる。
【００３４】
請求項５は、操作装置に回転式の、弁体の開弁量調節を行う回転操作部を設けたもので、この請求項５では回転操作部を回転操作することによって弁体の開弁量調節を行うことができる。
ここで請求項５を上記の単水栓装置等に適用し、弁体の開弁量調節を行う回転操作部を、流調操作部として構成することができる。
また請求項５を上記の湯水混合弁装置に適用し、回転操作部を、例えば湯側弁体の開弁量調節によって湯水混合比率、即ち混合水温度を調節する温調操作部として構成することができる。
【００３５】
この場合において、回転操作部の回転操作により先ずピニオンギヤを回転させて操作力を伝達するようになしておくことができるが、請求項６に従って、先ず伝達機構の操作装置側の始端のラック部材を回転操作部の回転操作量に応じた進退量で連続的に進退移動させ、これに伴う弁体の連続的な進退移動により弁体の開弁量の調節を行うようになしておくことができる。
【００３６】
更にこの場合において、操作装置に回転操作部の回転とともに回転する回転部材を設けておいて、その回転部材と上記始端のラック部材とをねじ結合し、回転部材の回転に伴ってラック部材をねじ送りで進退移動させるようになしておくことができる（請求項７）。
【００３７】
このようにしておけば、回転操作部の回転操作によって、その操作量に対応してラック部材を進退移動させることができ、ラック部材の進退移動を弁体に伝達してこれを進退移動させ、弁体の開弁量の変化を良好に行わせることができる。
【００３８】
次に請求項８は、操作装置に弁体を開閉させるプッシュ操作部及びその操作によって押し込まれる押込部材と、弁体の開弁量の調節を行う回転操作部及びこれとともに回転する回転部材とを設け、その回転部材と操作装置側の始端のラック部材とをねじ結合して、それらによりねじ送りで伸縮する伸縮軸を構成し、そしてプッシュ操作部のプッシュ操作による押込部材の押込運動及び引込運動により、伸縮軸を伸縮させることなく全体的に設定ストロークだけ前進及び後退移動させて、ラック部材を前進位置と後退位置とで位置切替えし、以って弁体の開弁状態と閉弁状態とを状態切替えするようになし、また回転操作部の回転操作に伴う回転部材の回転により、伸縮軸をねじ送りで伸縮させて、ラック部材を回転操作部の回転操作量だけ連続的に進退移動させ、弁体の開弁量の調節を行うようになしたものである。
【００３９】
この請求項８の水栓装置では、回転操作部の回転操作により、その操作量に応じた量で伸縮軸を連続的に伸縮させ得、これにより回転操作部の操作力を弁体に伝達して、かかる弁体を回転操作部の操作量に応じて連続移動させることができる。そしてこのことによって弁体の開弁量の調節を連続して良好に行うことができる。
【００４０】
また一方、プッシュ操作部をプッシュ操作することで、回転操作部の操作により伸縮した伸縮軸を、同一の伸縮量を保ったまま全体的に前進位置と後退位置とで位置切替えし、プッシュ操作部の操作を伸縮軸を介して、即ちラック部材を介して確実に弁体に伝達することができる。そしてその弁体を前進位置と後退位置とに位置切替えし、開弁状態と閉弁状態との状態切替えを行わせることができる。
【００４１】
この請求項８の水栓装置では、伸縮軸が回転操作部の操作により予め所定の伸縮状態とされた後、プッシュ操作部の操作によりその伸縮量を（伸縮状態を）保ったまま、設定ストローク進退移動して前進位置と後退位置とに位置切替えされるため、この請求項８の水栓装置では、弁体が閉弁状態から開弁状態に状態切替えされたとき、予め調節済みの開弁量で弁体を開弁させることができる。
従って上記の単水栓装置にあっては、止水状態から吐水状態に状態切替えしたときに、予め調節済みの流量で吐水を行わせることができる。
また湯水混合弁装置において、例えば湯側弁体を閉弁状態から開弁状態に状態切替えしたとき、即ち水吐水状態から混合水吐水状態に状態切替えしたとき、予め調節済みの混合水温度で混合水吐水を行わせることができる。
【００４２】
しかもこの請求項８の水栓装置によれば、プッシュ操作部と回転操作部とのそれぞれの操作を、ともに同一の始端のラック部材に加えて、伝達機構により各操作を弁装置の弁体へと伝達し、かかる弁体をそれぞれの操作に応じて動作させることができる。
【００４３】
上記請求項４若しくは請求項８の何れかにおいて、プッシュ操作部をプッシュ操作するごとに、押込部材を押込位置と引込位置とに位置切替えしてそれぞれに位置保持するラッチ機構を設け、且つこれを操作装置の側に備えておくことができる（請求項９）。
【００４４】
このようにすれば、プッシュ操作部の操作によって弁体の開弁状態と閉弁状態とを切り替えたときに、そのラッチ機構によりその後も開弁状態と閉弁状態とをそのまま維持することができる。
またそのラッチ機構は操作装置の側に備えてあるため、ラッチ機構による切替えの感触が手に直接伝わり、切替動作が行われたことを手で直接感じ取ることができ、使用者に良好な操作感を感じさせることができる。
【００４５】
請求項１０は、上記ラッチ機構に対してプッシュ操作部の操作方向と直角方向の径方向外側の位置にラック部材を設け、且つこれをラッチ機構に対し径方向に重なるように配置したもので、このようにすれば、ラック部材がラッチ機構と並列配置となって、かかるラッチ機構を設けることにより操作装置が操作方向に厚く大型化するのを効果的に回避でき、操作装置を薄型且つコンパクトに構成することが可能となる。
【００４６】
次に請求項１１は、弁装置の弁体を開弁させる方向にばねを設けたもので、この請求項１１によれば、ラッチ機構の動作用としてばねを働かせることができる。
即ちかかるばねを、伝達機構におけるギヤのバックラッシに拘らず歯面と歯面とを常に操作力の伝達方向に接触させるためのものとして働かせることができるとともに、ラッチ機構の動作用のばねとして働かせることができる。
【００４７】
本発明では、浴室の壁から室内側に突出した洗面器置台の内部に弁装置を収納し、また操作装置を、洗面器置台よりも上方で壁から室内側から突出したカウンタ部に設けておくことができ、そして上側の操作装置と下側の弁装置とを、伝達機構にて連結しておくことができる（請求項１２）。
【００４８】
このようにすることで、浴室内の特定の１つのカウンタ部に弁装置と操作装置とを有する水栓装置を設置する場合に比べて、外観上現れる操作装置の設置側のカウンタ部をコンパクトに構成することができ、水栓装置の設置部の美観，意匠性を高めることができる。
【００４９】
尚、操作装置を設けたカウンタ部に吐水口を併せて設けておくことができる。
これにより下方の洗面器置台の上に載せた洗面器に対し、上方のカウンタ部の吐水口から良好に吐水を行うことができる。
この場合において、上記伝達機構を操作装置側の始端のラック部材，これに噛み合うピニオンギヤ，更にこれに噛み合うラック部材，更にこれに噛み合うピニオンギヤ，そして弁装置側の最終のラック部材とを含んで構成しておくことができる。
【発明を実施するための最良の形態】
【００５０】
次に本発明の実施形態を図面に基づいて詳しく説明する。
図１は、浴室の内部を表している。
図中１は浴槽で、２は浴室の壁Ｗに取り付けられたカウンタ部材である。
カウンタ部材２は、壁Ｗから室内側に突出した下カウンタ部と、上カウンタ部３、及びそれらを上下に連絡する連絡部４を有している。
ここで下カウンタ部は洗面器置台５を成している。
またカウンタ部材２の上側には壁付のミラーＭが設けられている。
【００５１】
一方上カウンタ部３には、図２にも示しているように本実施形態の水栓装置６における操作装置７が取り付けられている。またこの上カウンタ部３には、先端に吐水口を有する水栓装置６における吐水管８が室内側に突き出す状態で設けられている。
尚、水栓装置６は水だけを吐水する単水栓の水栓装置となしておくこともできるし、また混合水を吐水する水栓装置となしておくこともできる。
【００５２】
後者の場合には、図２に示しているように上カウンタ部３に温調（温度調節）操作部１１を設けておき、その温調操作部１１の操作により混合弁で適温に温度調節した混合水を吐水管８から吐水するようになしておくのが好適である。
【００５３】
図２に示しているように、洗面器置台５の内部には水栓装置６における弁装置１０が収容されており、この弁装置１０と操作装置７とが、連絡部４の内部で伝達機構１２にて上下に作動的に連結されている。
ここで伝達機構１２は、操作装置７に加えられた操作力を弁装置１０に伝達して弁装置１０を動作させる。
尚１４は伝達機構１２に備えられたケースである。
【００５４】
図５に弁装置１０（この弁装置１０は吐止水（給水と給水停止）及び吐水（給水）の流量調節を行うものである）の構成が具体的に示してある。
同図において、１６は弁装置１０におけるボデーで、その内部に主水路を形成する１次側の流入通路１８，２次側の流出通路２０が形成されている。
尚２２は流入口で、２４は流出口である。
【００５５】
この実施形態では、弁機構全体が単一のユニットとしての着脱可能な弁カートリッジとして構成されている。図中２６は、その弁カートリッジのカートリッジケースで、このカートリッジケース２６は、図中の左部２６-１と右部２６-２とに分割されており、そしてそれらがカートリッジケース２６の中間部をなす後述の背圧室形成部材２８にて弾性的に連結されている。
弁カートリッジは、ボデー１６内部に挿入された状態でボデー１６への固定ナット３０のねじ込みにより抜止状態に固定されている。
【００５６】
図５において、３２は主水路上に設けられたダイヤフラム弁体からなる主弁体で、樹脂製の硬質の主弁本体３４と、これにより保持されたゴム製のダイヤフラム膜３６とからなっている。
この主弁体３２は、主弁座３８に対して図中左右方向に進退移動して主水路を開閉し、また主水路の開度を変化させる。
詳しくは、主弁座３８への着座によって主水路を遮断し、また主弁座３８から図中左向きに離間することによって主水路を開放する。
また主弁座３８からの離間量に応じて主水路の開度を大小変化させ、主水路を流れる水の流量即ち吐水部からの流量を調節する。
【００５７】
この主弁体３２の図中左側の背後には背圧室４０が形成されている。
背圧室４０は、内部の圧力を主弁体３２に対して図中右向きの閉弁方向の押圧力として作用させる。
主弁体３２には、これを貫通して１次側の流入通路１８と背圧室４０とを連通させる導入小孔４２が設けられている。
この導入小孔４２は、流入通路１８からの水を背圧室４０に導いて背圧室４０の圧力を増大させる。
【００５８】
主弁体３２にはまた、これを貫通して背圧室４０と２次側の流出通路２０とを連通させる水抜水路としてのパイロット水路４４が設けられている。
このパイロット水路４４は、背圧室４０内の水を流出通路２０に抜いて、背圧室４０の圧力を減少させる。
【００５９】
図５に示しているように、主弁体３２にはその中心部においてこれを軸心方向に貫通する貫通孔が設けられており、そこに吐止水パイロット弁体及び流調パイロット弁体を兼ねた共通のパイロット弁体４６が挿通され、このパイロット弁体４６の外周面と貫通孔の内周面との間に、通路幅が狭小な環状をなす上記パイロット水路４４が形成されている。
【００６０】
この主弁体３２には、図７及び図８にも示しているように貫通孔の内周面に沿って主弁体３２の軸心周りに環状をなすパイロット弁座４８が一体に設けられている。
５０はこのパイロット弁座４８におけるシール部で、環状溝内部に環状をなす弾性シールリングとしてのＯリング５２を保持ししている。
【００６１】
上記パイロット弁体４６は、このパイロット弁座４８に対し主弁体３２の軸心に沿って図５中左右方向に進退移動可能に嵌合するようになっている。
詳しくは、このパイロット弁体４６は、断面円形をなし且つ図中左右方向即ち進退方向において外径が同径のシール部５４と、これより先端側（図７中下側，図５中右側）の環状の凹所５６とを有している。
環状の凹所５６の軸方向の各端部は、凹所５６の最小径部に向かって漸次小径となるテーパ面とされており、そのテーパ面の大径側の各端部に段付部５８，６０が形成されている。
【００６２】
尚、図５はパイロット弁体４６の止水時（閉弁時）の状態を表しており、このときパイロット弁体４６は、シール部５４をＯリング５２を介してパイロット弁座４８に対し全周に亘って径方向に弾性接触させ、パイロット弁体４６とパイロット弁座４８との間を水密にシールした状態にある。
またこのとき主弁体３２は主弁座３８に着座した状態（閉弁状態）にあって、主水路は閉鎖された状態にある。
【００６３】
図７及び図８はパイロット弁体４６の移動による流調（流量調節）時の作用を表している。
この実施形態では、流調の際にパイロット弁体４６はパイロット水路４４を閉鎖することはなく、その移動によってパイロット水路４４の開度だけを変化させる。
後述の流調操作部としての回転操作部１１３に対する回転操作量がそのように規制されている。
【００６４】
この実施形態では、図７（Ｉ）に示しているようにパイロット弁体４６が同図中上向き（図５中左向き）に後退移動すると、パイロット弁体４６とパイロット弁座４８との間の隙間が一時的に大となり、背圧室４０内の水がパイロット水路４４を通じて流出通路２０側に多く抜け出して背圧室４０の圧力が減少する。
そこで主弁体３２が流入通路１８との圧力差により図中上向きに後退移動し、そして図７（II）に示しているように、流入通路１８の圧力と背圧室４０の圧力とがバランスする位置で主弁体３２の後退移動が停止する。
即ち、主弁体３２がパイロット弁体４６の後退移動に追従するようにして共に後退移動し、そしてパイロット弁体４６の停止とともに主弁体３２もまた停止する。
このとき、パイロット弁体４６と主弁体３２との間には微小な間隙（追従間隙）が保持される。
主弁体３２は以後もこの一定の微小間隙を保持しつつパイロット弁体４６とともに移動する。
【００６５】
この主弁体３２の後退移動によって主弁体３２と主弁座３８との間の隙間が大となり、流入通路１８から流出通路２０への水の流入量が増大する。
【００６６】
この状態からパイロット弁体４６が更に図中上向きに後退移動させられると、背圧室４０の圧力と流入通路１８との圧力をバランスさせるようにして、主弁体３２がパイロット弁体４６の後退移動に追従して後退移動し、主水路の開度を更に広くして主水路を流れる水の流量を増大させる（図７(III)参照）。
【００６７】
一方、パイロット弁体４６が図８（Ｉ）に示しているように図中下向きに前進移動すると、パイロット弁体４６とパイロット弁座４８との間、詳しくはパイロット弁体４６におけるシール部５４とパイロット弁座４８に保持されたＯリング５２との間の隙間が一時的に小さくなって、即ちパイロット水路４４の開度が小さくなって、背圧室４０から流出通路２０に抜ける水の量が少なくなり背圧室４０の圧力が増大する。
【００６８】
このため、その増大した圧力により主弁体３２が今度は図中下向き（図５中右向き）に前進移動して、背圧室４０の圧力と流入通路１８との圧力をバランスさせる位置で停止する。
このときにもパイロット弁体４６と主弁体３２との間には一定の微小間隙（追従間隙）が保持される。
このようにして背圧室４０の圧力が一時的に増大すると、その増大した圧力により主弁体３２が図中下向きに前進移動して、背圧室４０の圧力と流入通路１８の圧力とをバランスさせる位置で停止する。
このとき主弁体３２と主弁座３８との間の隙間は小さくなって、即ち主水路の開度が小さくなって、主水路を流れる水の流量が減少する（図８（II）参照）。
【００６９】
そしてこの状態から更にパイロット弁体４６が図中下向きに前進移動すると主水路の開度が更に小さくなり、主水路を流れる水の流量が更に減少する（図８（III）参照）。
【００７０】
図５において、２８は背圧室形成部材で逆カップ状を成しており、その内側に上記の背圧室４０を形成している。
この背圧室形成部材２８はまた、主弁体押えとしての働きもなしている。
【００７１】
この背圧室形成部材２８には、一対の弾性を有する環状のシールリングとしてのＯリング６４が保持されている。
これらＯリング６４は、後述の作用軸６６の外周面に全周に亘り弾性接触して、作用軸６６と背圧室形成部材２８との間、即ち背圧室４０との間を水密にシールする。
尚、カートリッジケース２６における右部２６-２にもまたその外周面にＯリング６８が保持されており、このＯリング６８にてボデー１６との間が水密にシールされている。
【００７２】
図５において、６６は加えられた操作力に基づいてパイロット弁体４６を作用させる作用軸で、この作用軸６６は一様な円形断面且つ一様な外径で軸方向に延びており、そしてこの作用軸６６の端部に、上記のパイロット弁体４６が一体に構成されている。
尚、この作用軸６６の図５中右端部にはＥリングから成る弾性止め輪６２が装着されている。この止め輪６２は、主弁体４６の中心部に形成された貫通孔よりも大径をなしている。
【００７３】
上記操作装置７と弁装置１０とを作動的に連結している伝達機構１２は、図５に示しているように弁装置１０側の末端に、作用軸６６の移動方向と同方向の左右方向に移動する、ラックギヤ７０を備えたラック部材７２を有している。
ラック部材７２は、作用軸６６に対し球面軸受部７４で連結されており、かかる作用軸６６が、即ちこれに一体に構成されたパイロット弁体４６がラック部材７２と一体に左右方向に直線的に移動するようになっている。
【００７４】
このラック部材７２と弁機構との間、具体的には弁装置１０のボデー１６に固定されたばね受部材７６との間には、金属製のコイルばね７８が介装されており、かかるコイルばね７８によってラック部材７２が図中左方向、即ちパイロット弁体４６を開弁させる方向に付勢されている。
【００７５】
図３，図５，図９及び図１０に示しているように、伝達機構１２は、更にラック部材７２のラックギヤ７０に噛み合うピニオンギヤ８０，ピニオンギヤ８０に噛み合った状態で図中上下方向に移動する、ラックギヤ７０を備えたラック部材８２、更にラック部材８２から図中上向きに延びる連結ロッド８４、連結ロッド８４の上端部に設けられた、ラックギヤ７０を備えたラック部材８５、更にこのラック部材８５のラックギヤ７０に噛み合うピニオンギヤ８６、及びピニオンギヤ８６に噛み合った状態で図中左右方向に移動する操作装置７側の始端の、ラックギヤ７０を備えたラック部材８８を備えている。
【００７６】
即ち伝達機構１２は、操作装置７において加えられた操作力を図３，図４，図９，図１０の始端のラック部材８８からピニオンギヤ８６に、更にピニオンギヤ８６からラック部材８５、続いて連結ロッド８４を経由してラック部材８２に、更に続いてピニオンギヤ８０を経てラック部材７２に伝達し、その後作用軸６６に図中左右方向に作用させる。
【００７７】
上記コイルばね７８は、この伝達機構１２の全体に対して付勢力を及ぼしており、このため図１０に示しているように、ラック部材７２のラックギヤ７０とピニオンギヤ８０，ピニオンギヤ８０とラック部材８２のラックギヤ７０，ラック部材８５のラックギヤ７０とピニオンギヤ８６，ピニオンギヤ８６とラック部材８８のラックギヤ７０とは、それぞれ操作装置７側からの操作力の伝達方向、またコイルばね７８の付勢力を操作装置７の側に伝える方向に、各ギヤの歯面が一方向に隙間無く当った状態にある。
【００７８】
図１１，図１２において、９０は操作装置７に備えられた円筒形状のケースで、このケース９０がカウンタ部材２に対して固定状態とされている。
上記ラック部材８８は、図１２に示しているように概略円筒形状をなしており、その上面にラックギヤ７０が設けられている。
また側面には挿入部９２，９４が設けられ、これら挿入部９２，９４がケース９０側の挿通孔９６，９８に挿通されている。
そしてこのことによって、ラック部材８８がケース９０により図中左右方向に移動可能且つ回転方向に移動不能に保持されている。
尚、ラック部材８８のラックギヤ７０は、ケース９０に設けられた貫通の挿通孔１００に図中左右方向に移動可能に挿通されている。
このラック部材８８には、その内周面に雌ねじ部１０２が設けられている。
【００７９】
図９に示しているように、操作装置７はその中心部に円筒形状のガイド部材１０６を有しており、このガイド部材１０６が、締結軸１０８にてケース９０の底部に固定されている。
締結軸１０８は、図９中右端部に大径の頭部１１０を有しており、この頭部１１０と反対側の端部に弾性的に嵌められた止め輪１１２とによって挟持される状態に、ガイド部材１０６がケース９０の底部に回転可能に軸方向に固定されている。
このガイド部材１０６の外周面には、図１２，図１３に示すようにガイド部１０７が設けられている。
【００８０】
図９，図１１，図１２において、１１３は流調操作部を成す回転ハンドル式のリング状をなす回転操作部で、１１４はこの回転操作部１１３とともに一体回転する回転部材、１１６は回転操作部１１３の回転を回転部材１１４に伝える中間リングである。
【００８１】
回転部材１１４は、図１２に示しているようにフランジ部１１７を有する円筒形状の部材で、その円筒部の外周面に雄ねじ部１１８が設けられ、この雄ねじ部１１８において回転部材１１４が上記のラック部材８８の雌ねじ部１０２に螺合され、ねじ結合されている。
これら回転部材１１４とラック部材８８とは、ねじ送りで図９中左右方向に伸縮する伸縮軸１２０を構成している。
この伸縮軸１２０は、回転部材１１４が一方向に回転させられると、ラック部材８８が図９中左方向に前進して伸縮軸１２０全体が伸張する。
また回転部材１１４が逆方向に回転させられると、ねじ送りでラック部材８８が図９中右方向に後退移動し、伸縮軸１２０が全体として収縮する。
【００８２】
この回転部材１１４には、径方向外方に突出した突出部１２２が設けられており、その突出部１２２の外周面に軸方向に延びる係合歯１２４が形成されている。
またその内周面には、周方向の複数個所に軸方向に延びる突条１２６が形成されている。
また径方向外向きのフランジ部１１７とは反対側の端部に、図１２（Ｂ）に示すように径方向内向きのフランジ部１２８が設けられている。
【００８３】
一方、中間リング１１６には図１１に示しているように径方向内向きに突出した突出部１３０が設けられており、この突出部１３０の内周面に軸方向に延びる係合歯１３２が形成されている。そしてこの係合歯１３２が回転部材１１４の係合歯１２４に係合させられ、それらの係合作用により中間リング１１６と回転部材１１４とが一体に回転するようになっている。
【００８４】
この中間リング１１６には、内周側に内向きの弾性爪１３４が設けられており、図９に示しているようにこの弾性爪１３４が、ケース９０側の外向きの爪１３６に弾性的に掛止されている。そしてこれにより、中間リング１１６がケース９０に抜止状態に保持されている。
中間リング１１６にはまた、周方向の複数個所に回転方向の位置決用の切欠き１４０が形成されており、更にそれら切欠き１４０と１４０との間の位置において、回転操作部１１３との組付用の弾性爪１４２が設けられている。
【００８５】
他方、回転操作部１１３には図１１に示すように内周面に位置決用の突起１４４が設けられ、この突起１４４が、中間リング１１６の切欠き１４０に嵌り合っている。そしてそれらの嵌合作用により、中間リング１１６が回転操作部１１３と一体に回転するようになっている。
即ち、回転操作部１１３を回転操作すると、その回転運動が中間リング１１６に伝えられ、更にこの中間リング１１６を経て回転部材１１４に伝えられる。
その結果、回転部材１１４とラック部材８８とから成る上記の伸縮軸１２０が、図９においてラック部材８８の図中左右方向の進退移動を伴って左右方向、即ち軸方向に伸縮動作する。
【００８６】
回転操作部１１３の内周面にはまた掛止部１４６が設けられ、図１１の部分拡大図に示しているように、この掛止部１４６に対して上記中間リング１１６の弾性爪１４２が弾性的に掛止し、そのことによって中間リング１１６と回転操作部１１３とが軸方向に組み付けられている。
尚回転操作部１１３の内周面には、軸方向に延びるリブ状の当り部１４８が設けられており、図１１の部分拡大図に示しているように、この当り部１４８に対して中間リング１１６の鍔状部１５０が軸方向に当ることによって、中間リング１１６と回転操作部１１３との軸方向の相対位置が規定されるようになっている。
【００８７】
図９及び図１１において、１５２はプッシュ操作によって吐水状態と止水状態とを切り替える吐止水操作部としてのプッシュ操作部で有底円筒形状をなしており、図９に示しているように中間リング１１６に対して外嵌状態に嵌合されている。
このプッシュ操作部１５２には、一端に径方向外向きのフランジ部１５４が設けられており、このフランジ部１５４の、回転操作部１１３の内向きのフランジ部１５６への当接によって、プッシュ操作部１５２が図９中右方向に抜け防止されている。
【００８８】
このプッシュ操作部１５２は、吐水状態において上記のコイルばね７８の付勢力により、フランジ部１５４が回転操作部１１３のフランジ部１５６に当接した状態に保持される（図４参照）。
このプッシュ操作部１５２の底部には、図１１中左向きに立上った円弧形状の立上り部１５８が設けられている。この立上り部１５８の外周面には、回転方向の位置決用の軸方向に延びる突条１６０が設けられている。
プッシュ操作部１５２は、この円弧形状の立上り部１５８を、ケース９０側の図中右方向の円弧形状の立上り部１６２に内嵌させ、そして突条１６０をケース９０側の立上り部１６２に形成した切欠部１６４に係合させることで、ケース９０に対し回転規制される。即ちプッシュ操作部１５２は、回転阻止された状態で軸方向にのみ移動可能とされている。
【００８９】
図９及び図１２において、１６６はプッシュ操作部１５２のプッシュ操作の度に図９中左方向の押込位置と、図中右方向の引込位置とに押込み及び引込運動する押込部材で円筒形状をなしており、上記のガイド部材１０６に対して一体回転状態に外嵌され、また回転部材１１４に対して一体回転状態に内嵌されている。
詳しくはこの押込部材１６６には、内周面に軸方向の複数の突条１６７が設けられていて、この突条１６７が、ガイド部材１０６の外周面の凹条１６８に嵌合して、ガイド部材１０６に対し相対回転規制され、また外周面には軸方向の凹条１７０が設けられていて、この凹条１７０が、回転部材１１４の内周面の突条１２６に嵌合され、回転部材１１４に対し相対回転規制されている。
【００９０】
この押込部材１６６は、図９のスラストロック機構（ラッチ機構）１７２によって、押込位置から引込位置に位置切替えされ、また引込位置から押込位置へと位置切替えされるとともに、押込位置と引込位置にそれぞれ位置保持される。そしてこの押込部材１６６の図９中左方向への押込みによって、伸縮軸１２０が伸縮運動を伴うことなく、そのままの状態で図９中左方向に押し出される。
そしてこのことによって図５のパイロット弁体４６が図５に示す止水位置に到り、弁装置１０が閉弁状態となる。即ち止水状態となる。
また逆に押込部材１６６が引込運動すると、伸縮軸１２０が伸縮運動することなく同じ伸縮量を保ったまま、設定ストローク図９中右方向に移動し、これによりパイロット弁体４６が図５中左方向に移動して、弁装置１０が開弁状態となる。即ち吐水状態となる。
【００９１】
この伸縮軸１２０は、上記のように回転操作部１１３を回転操作すると、図１０に示すようにラック部材８８が回転部材１１４からねじ送りで押し出され或いは引き込まれて、全体が伸縮運動する。そしてその伸縮運動によって、パイロット弁体４６を回転操作部１１３の回転量に応じて、図５及び図６中左右方向に進退移動させ、これにより主弁体３２の位置を連続的に変化させて流量調節を行わせる。
【００９２】
一方プッシュ操作部１５２をプッシュ操作したとき、伸縮軸１２０は先に回転操作部１１３の操作により伸張又は収縮したときの状態をそのまま保って、全体的に図９中左右方向に設定ストロークだけ前進した位置と後退した位置とに位置切替えされ、従ってこの実施形態では、プッシュ操作部１５２を操作して止水状態とした後、再びプッシュ操作部１５２を操作して吐水状態としたときに、前回調節済みの流量で吐水を行わせることができる。
【００９３】
押込部材１６６の図中左端には、図１３にも示しているように山形状を成す係合歯１７６が、周方向に沿って所定ピッチで連設されている。
この係合歯１７６の図中左面（図１４，図１５参照）には、回転子１７４を押込部材１６６の図９中左向きの押込運動と右向きの引込運動とによって、カム作用で回転させるための駆動カム面１７８が形成されている。
【００９４】
回転子１７４は、図１３に示すようにリング状の部材から成るもので、周方向の複数個所（ここでは３個所）に図中右向きに山形状に突出する係合歯１８０が設けられている。
また周方向の同じ個所において、径方向内側に突出する形態で鋸歯状を成す係合歯１８２が同じく図中右向きに設けられている。
【００９５】
外側の係合歯１８０は、一方の斜辺に沿った右面が押込部材１６６の駆動カム面１７８に対応した第１従動カム面１８４とされている。
ここで第１従動カム面１８４の傾斜角度は、押込部材１６６側の駆動カム面１７８と同一角度とされている。
一方内側の係合歯１８２においてもまた、その斜辺に沿った右面が傾斜した第２従動カム面１８６とされている。
この実施形態では、第１従動カム面１８４と第２従動カム面１８６との傾斜角度が異ならせてあり、第２従動カム面１８６の傾斜角度が急角度をなし、これに対して第１従動カム面１８４の傾斜角度が小角度とされている。
【００９６】
この回転子１７４は、図１２に示す円筒形状の回転部材１１４の内部に挿入されて、その軸方向端の内向きのフランジ部１２８にて回転可能に支持されており、かかるフランジ部１２８の面上を回転摺動する。
尚、図１２に示しているように回転子１７４には周方向に溝１８８が設けられているが、この溝は回転子１７４を回転部材１１４内部に挿入する際に突条１２６との干渉を避けるためのもので、フランジ部１２８に当った状態では溝１８８は突条１２６と嵌り合っておらず、回転子１７４はフランジ部１２８の面上を自在に回転摺動可能である。
【００９７】
図９に示しているようにこの回転子１７４に対しては、図５のコイルばね７８の付勢力が、伝達機構１２及び回転部材１１４を介して図９中右向きに及ぼされている。
即ちこの実施形態では、弁装置１０側に配設されたコイルばね７８がスラストロック機構１２０の動作用のばねとして利用されている。
【００９８】
上記ガイド部材１０６には、図１３に示しているように外周面にガイド部１０７が設けられている。
このガイド部１０７は図中左端に係合歯１９０を有している。
この係合歯１９０の左面にもまた、回転子１７４をカム作用で回転させるための、回転子１７４の第２従動カム面１８６に対応した傾斜形状の案内カム面１９２が形成されている。
ここで案内カム面１９２の傾斜角度は、回転子１７４の第２従動カム面１８６と同じ傾斜角度とされている。
【００９９】
このガイド部１０７にはまた、軸方向に延びる嵌入溝１９４が周方向に所定間隔で形成されている。
回転子１７４は、内方への突出形状をなす係合歯１８２を嵌入溝１９４に位置させる回転位置となったとき、かかる係合歯１８２を嵌入溝１９４の内部に嵌入させることによって、図中右方への後退運動が許容される。
【０１００】
一方係合歯１９０は、回転子１７４の係合歯１８２に噛み合ってこれを図中左方向の前進位置に保持してロックする働きをなす。即ちパイロット弁体４６を閉弁位置に保持してロックする働きをなす。
本実施形態では、ガイド部材１０６，回転子１７４，押込部材１６６の係合歯１７６及び上記のコイルばね７８等にてスラストロック機構１７２が構成されている。
【０１０１】
この実施形態では、プッシュ操作部１５２をプッシュ操作するごとに、押込部材１６６が図９中左方向の押込位置と右方向の引込位置とに移動し、これとともにパイロット弁体４６が図５に示す閉弁位置と、図６に示す開弁位置とに位置切替えされ、且つスラストロック機構１７２にてそれぞれの位置に位置保持される。
【０１０２】
図１４及び図１５は、プッシュ操作部１５２の１回のプッシュ操作ごとに、パイロット弁体４６を閉弁位置と開弁位置とに位置切替えして、それぞれの位置に位置保持するスラストロック機構１７２の作用を具体的に表している。
【０１０３】
図１４（Ｉ）はパイロット弁体４６の閉弁状態即ち止水状態を表しており、このとき回転子１７４における係合歯１８２がガイド部材１０６のガイド部１０７の係合歯１９０に噛み合った状態にあって、回転子１７４は図９中の左端位置即ち前進位置にロック状態に保持される。即ちパイロット弁体４６が閉弁状態に保持される。
尚このとき、プッシュ操作部１５２は押込位置で停止し、押込位置に保持される。
【０１０４】
この状態で（II）に示しているようにプッシュ操作部１５２を左に押し込むと、伸縮軸１２０が一定の伸縮量を保ったまま図９中左向きに前進移動するとともに、回転子１７４がコイルばね７８による右向きの付勢力に抗して左向き（図１４においては下向き）に押し出され、回転子１７４の係合歯１８２とガイド部１０７の係合歯１９０との係合が外れる。
すると押込部材１６６の駆動カム面１７８と回転子１７４の第１従動カム面１８４とのカム作用で、回転子１７４が図１４中左方向に所定角度回転させられ、そして押込部材１６６の係合歯１７６と回転子１７４の係合歯１８０とが丁度噛み合った位置（第１ストッパ位置）で回転停止させられる。図１４（III）（Ａ）はこのときの状態を表している。
【０１０５】
このとき、（III）（Ｂ）に示しているように回転子１７４の第２従動カム面１８６はガイド部１０７の回転方向の次の案内カム面１９２に対向した状態となり、そこで（IV）に示しているように回転子１７４に加えていた押込力を除くと、コイルばね７８の付勢力で回転子１７４が押込部材１６６とともに微小距離上昇して係合歯１８２の第２従動カム面１８６が、ガイド部１０７の案内カム面１９２に当接する。
【０１０６】
そしてそれら案内カム面１９２と第２従動カム面１８６とのカム作用で回転子１７４が更に同図中矢印で示す方向に回転移動して、図１４（Ｖ）（Ｂ）に示すように係合歯１８２がガイド部１０７の嵌入溝１９４の位置に至る。
ここにおいて係合歯１８２が嵌入溝１９４に嵌入するに至って、回転子１７４がプッシュ操作部１５２及び押込部材１６６とともにコイルばね７８の付勢力によって図９中右向き（図１５中上向き）に後退運動させられ（図１５（VI））、プッシュ操作部１５２が図４，図９中右向きに引き込まれて、その引込位置に位置保持されるとともに、伸縮軸１２０の位置が図９中右位置の後退位置に位置切替えされ、パイロット弁体４６が開弁状態（吐水状態）となって、主水路に水の流れが生じ、吐水部からの吐水が行われる。
【０１０７】
この開弁状態から再びプッシュ操作部１５２を押し込むと、回転子１７４が図１５の上昇位置から下降せしめられ、そして係合歯１８２が嵌入溝１９４から外れると、回転子１７４が駆動カム面１７８と第１従動カム面１８４とのカム作用で、図１５（VII）中矢印方向（左方向）に回転移動して、回転子１７４の係合歯１８０が押込部材１６６の回転方向の次の係合歯１７６に噛み合うに至って、ここに回転子１７４の次の１ピッチの回転運動がそこで停止せしめられる（図１５（VIII））。
【０１０８】
この状態でプッシュ操作部１５２に対する押込力を除くと、コイルばね７８の付勢力で回転子１７４が最下位置から微小距離上昇して、係合歯１８２の第２従動カム面１８６がガイド部１０７の案内カム面１９２に当接するに至り（図１５(IX)）、更にそれらのカム作用で回転子１７４が引き続いて図中左方向に回転移動して、回転子１７４の係合歯１８２がガイド部１０７の次の係合歯１９０に噛み合う位置（第２ストッパ位置）となり、ここに回転子１７４の回転動がそこで停止させられる（図１５（Ｘ））。
この図１５（Ｘ）に示す状態は、図１４（Ｉ）に示すのと同じ状態であって、ここにパイロット弁体４６及び主弁体３２が閉弁状態即ち止水状態となる。
【０１０９】
以上のように本実施形態によれば、操作装置７に加えられた操作力をピニオンギヤ８０，８６を含む伝達機構１２を介して弁装置１０の側に伝達するため、操作装置７及び弁装置１０をピニオンギヤ８０，７６周りに角度を変えて設置することが可能となり、水栓装置６を設置するに際して操作装置７や弁装置１０の向きを独立に選択でき、水栓装置６の設置の自由度を高めることができる。
また操作装置７と弁装置１０とを別々に離して設置できるため、水栓装置６の設置の際のレイアウトの自由度が高まる。
【０１１０】
またこの実施形態では、弁装置１０の側で弁体を直接付勢する状態にコイルばね７８を設け、そしてそのコイルばね７８の付勢力を伝達機構１２全体に及ぼすようにしていることから、ギヤの歯と歯との間のバックラッシに基いて遊び（隙間）が生じていても、図１０に示すようにピニオンギヤ８０，８６とラック部材７２，８２，８５，８８のラックギヤ７０の各歯面を操作力の伝達方向に接触状態に保つことができ、操作装置７における操作に正確に対応して弁装置１０を動作させることができる。
従って操作装置７の回転操作部１１３を回転操作して吐水の流量を調節するに際し、回転操作部１１３の操作位置が同一であっても、流量を増大させるときと減少させるときとで流量が異なってしまうヒステリシス現象の発生を防止することができる。
【０１１１】
本実施形態では、弁装置１０を、主弁体３２とパイロット弁体４６とを有し、パイロット弁体４６との間に微小間隙を形成しつつパイロット弁体４６の進退移動に追従して主弁体３２を同方向に進退移動させるパイロット式弁装置として構成し、そしてそのパイロット弁体４６に伝達機構１２を連結して、パイロット弁体４６に操作力を伝達するようになしている。
【０１１２】
上記ピニオンギヤ８０，８６とラック部材７２，８２，８５，８８のラックギヤ７０との噛合いにより操作力を伝達する伝達機構１２では、操作力の伝達効率が低くなるのを避けられないが、その場合においてもこの実施形態によれば、小さな操作荷重で弁装置１０を作動させることができ、僅かな力で主弁体３２を移動させ得て、軽い操作で弁装置１０を操作することができる。
【０１１３】
本実施形態では、回転操作部１１３の回転操作により、その操作量に応じた量で伸縮軸１２０を連続的に伸縮させ、これにより回転操作部１１３の操作力をパイロット弁体４６に伝達して、パイロット弁体４６及び主弁体３２を回転操作部１１３の操作量に応じて連続移動させることができる。そしてこのことによって流量調節を連続的に良好に行うことができる。
【０１１４】
また一方で、プッシュ操作部１５２をプッシュ操作することで、回転操作部１１３の操作により伸縮した伸縮軸１２０を、同一の伸縮量を保ったまま全体的に前進位置と後退位置とで位置切替えし、プッシュ操作部１５２の操作を伸縮軸１２０を介して、即ちラック部材８８を介して確実にパイロット弁体４６に伝達することができる。そしてパイロット弁体４６を前進位置と後退位置とに位置切替えし、吐水状態と止水状態との状態切替えを行わせることができる。
【０１１５】
そしてこの実施形態では、伸縮軸１２０が回転操作部１１３の操作により予め所定の伸縮状態とされた後、プッシュ操作部１５２の操作によりその伸縮量を（伸縮状態を）保ったまま、設定ストローク進退移動して前進位置と後退位置とに位置切替えされるため、止水状態から吐水状態に状態切替えされたとき、予め調節済みの流量で吐水を行わせることができる。
【０１１６】
しかもこの実施形態の水栓装置６によれば、プッシュ操作部１５２と回転操作部１１３とのそれぞれの操作を、ともに同一の始端のラック部材８８に加えて、伝達機構１２により各操作を弁装置１０のパイロット弁体４６へと伝達し、かかるパイロット弁体４６をそれぞれの操作に応じて動作させることができる。
【０１１７】
本実施形態ではまた、プッシュ操作部１５２をプッシュ操作するごとに、押込部材１６６を押込位置（前進位置）と引込位置（後退位置）とに位置切替えしてそれぞれに位置保持するスラストロック機構１７２を設け、且つこれを操作装置７の側に備えてあり、このことによってプッシュ操作部１５２の操作によって吐水と止水とを切り替えたときに、その後も吐水状態と止水状態とをそのまま維持することができる。
またそのスラストロック機構１７２は操作装置７の側に備えてあるため、スラストロック機構１７２による切替えの感触が手に直接伝わり、切替動作が行われたことを手で直接感じ取ることができ、使用者に良好な操作感を感じさせることができる。
【０１１８】
更に本実施形態では、スラストロック機構１７２に対してプッシュ操作部１５２の操作方向と直角方向の径方向外側の位置にラック部材８８を設け、且つこれをスラストロック機構１７２に対し径方向に重なるように配置しているため、ラック部材８８がスラストロック機構１７２と並列配置となって、かかるスラストロック機構１７２を設けることにより操作装置７が操作方向に厚く大型化するのを効果的に回避でき、操作装置７を薄型且つコンパクトに構成することができる。
【０１１９】
また本実施形態では、弁装置１０の弁体を開弁させる方向に設けたコイルばね７８を伝達機構１２における各ギヤの歯面と歯面とを常に操作力の伝達方向に接触させるためのものとして働かせているとともに、これをスラストロック機構１７２の動作用のばねとして利用しており、必要なばねの数を少なくすることができ、また構造を簡単化することができる。
【０１２０】
更に本実施形態では、浴室の壁Ｗから室内側に突出した洗面器置台５の内部に弁装置１０を収納し、また操作装置７を、洗面器置台５よりも上方で壁Ｗから室内側から突出した上カウンタ部３に設け、そして上側の操作装置７と下側の弁装置１０とを伝達機構１２にて連結しており、このようにすることで、外観上現れる操作装置７の設置側の上カウンタ部をコンパクトに構成することができ、水栓装置６の設置部の美観，意匠性を高めることができる。
【０１２１】
また上カウンタ部３に吐水口が併せて設けてあり、このことによって下方の洗面器置台５の上に載せた洗面器に対し、上カウンタ部３の吐水口から良好に吐水を行うことができる。
【０１２２】
図１６は本発明の他の実施形態を示している。
この例は、上記連結ロッド８４に代えて、金属ワイヤー等可撓性且つ非伸縮性の連結部材２００を用いたもので、この実施形態によれば、障害物２０２等がある場合において、連結部材２００を滑車２０４に掛けるようにして連結部材２００を曲り状態に配置することができる。
ここで連結部材２００は、上記コイルばね７８の付勢力によって常時引張状態に保持される。
【０１２３】
このようにすれば、操作装置７から弁装置１０への操作力の伝達経路上に障害物２０２があっても、その障害物２０２との干渉を回避して伝達機構１２を配置し、操作装置７と弁装置１０とを良好に作動的に連結状態とすることができる。
【０１２４】
またその連結部材２００は常時引張状態に保持されているため、連結部材２００が緩むことによって操作力が良好に伝達されなくなるのを防止し、操作装置７に加えられた操作力を連結部材２００を介して確実に弁装置１０へと伝達し、これを動作させることができる。
【０１２５】
図１７は本発明の更に他の実施形態を示している。
この例では、弁装置１０における主弁体３２をコイルばね７８にて直接閉弁方向に付勢し、その付勢力に基いて主弁体３２を対応する主弁座３８に対し軸方向に押し付ける状態に閉弁させるようになした例である。
【０１２６】
尚、図１７中２０６はラック部材を、２０８はラック部材２０６の頭部を、２１０はその頭部２０８に設けられた雄ねじ部を、２１２は回転部材を、２１４は回転部材２１２の内周面の雌ねじ部をそれぞれ表している。
回転部材２１２とラック部材２０６とは、雄ねじ部２１０と雌ねじ部２１４とで螺合されており、ラック部材２０６と回転部材２１２とで伸縮軸１２０が構成されている。
【０１２７】
次に図１８〜図２１は本発明の他の実施形態を示している。
この例は、湯水混合弁装置における湯側弁体の開閉の切替え及び開弁量調節に適用した場合の例で、図中２２０は弁装置（ここでは湯水混合弁装置）のボデーで、水の流入口２２２及びこれに続く流入通路２２６，湯の流入口２２４及びこれに続く湯の流入通路２２８が設けられている。
流入通路２２６，２２８を通じて流入した水と湯とは、混合室２３０で混合された上、２次側の流出通路２３２を通じ、流出口２３４から流出する。
尚、図１８及び図１９は弁装置１０が水吐水状態に切り替った状態を表しており、従ってこのときには流出口２３４から水が流出する。
【０１２８】
一方、図２０は弁装置１０が湯水混合状態に切り替った状態を表しており、このときには水と湯とが混合室２３０に流入してそこで混合され、混合水が流出口２３４から流出する。
尚、２３６は後述の水側の背圧室２４８を形成する背圧室形成部材を兼ねたキャップで、ボデー２２０に固定されている。
【０１２９】
この実施形態において、弁装置１０は、ダイヤフラム弁から成る湯側主弁体２３８，水側主弁体２４０を有している。
而して弁装置１０には、湯側主弁体２３８に対応して湯側主弁座２４２，湯側背圧室２４６，湯側パイロット弁体２５０，湯側パイロット弁座２５４が設けられ、また水側主弁体２４０に対応して水側主弁座２４４，水側背圧室２４８，水側パイロット弁体２５２，水側パイロット弁座２５６が設けられている。
【０１３０】
湯側主弁体２３８，水側主弁体２４０は、基本的に図５，図６に示す主弁体３２と同様の構成を有するもので、また湯側パイロット弁体２５０，水側パイロット弁体２５２も、図５及び図６のパイロット弁体４６と基本的に同様の構成を有している。
更に湯側パイロット弁座２５４，水側パイロット弁座２５６も図５及び図６に示すパイロット弁座４８と基本的に同様の構成を有している。
ここではそれらについての詳しい説明は省略し、対応する部分に対応する符号のみを付して示してある。
但し湯側主弁体２３８と水側主弁体２４０とは、図中左右逆向きに設けられている。即ち湯側主弁体２３８は湯側主弁座２４２に向けて図中右方向に前進移動し、また水側主弁体２４０は水側主弁座２４４に向けて図中左方向に前進移動する。
【０１３１】
即ち湯側主弁体２３８は、湯側主弁座２４２に対し図中左右方向に進退移動し、弁開度を変化させる。
詳しくは、湯側主弁体２３８は湯側主弁座２４２への着座によって閉弁状態となり、また湯側主弁座２４２から図中左向きに離間することによって開弁し、そしてその開弁量の変化に応じて混合室２３０への湯流入量を変化させる。
【０１３２】
一方水側主弁体２４０は、水側主弁座２４４に対して図中左右方向に進退移動し、弁開度を変化させる。
詳しくは、水側主弁座２４４への着座によって閉弁状態となり、また水側主弁座２４４から図中右向きに離間することによって開弁し、そしてその開弁量の変化に応じて混合室２３０への水の流入量を変化させる。
但しこの弁装置１０では、湯側主弁体２３８と水側主弁体２４０とは互いに逆の関係でその開弁量を大小変化させ、湯と水との流入量を互いに逆の関係で増減変化させる。
【０１３３】
また湯側背圧室２４６は、内部の圧力を湯側主弁体２３８に対し図中右方向の閉弁方向の押圧力として作用させ、また水側背圧室２４８は、内部の圧力を水側主弁体２４０に対し図中左方向の閉弁方向の押圧力として作用させる。
【０１３４】
上記湯側パイロット弁体２５０，水側パイロット弁体２５２もまた、互いに逆の関係で図中左右方向に進退移動する。
即ち湯側パイロット弁体２５０は、図中右方向に前進移動して最終的に閉弁状態となり、また左方向に後退移動することによって開弁状態となる。
一方水側パイロット弁体２５２は、図中左方向に前進移動して最終的に閉弁状態となり、また図中右方向に後退移動して開弁状態となる。
但しこの実施形態において、湯側パイロット弁体２５０と水側パイロット弁体２５２とは、共通の作用軸（温調軸）６６に一体に構成されている。
【０１３５】
この弁装置１０では、図２１に示しているように湯側主弁体２３８，水側主弁体２４０の何れもが開弁状態の下で、湯側パイロット弁体２５０が図中右方向に前進移動すると、湯側主弁体２３８が湯側パイロット弁体２５０との間に一定の微小な追従間隙を保持しつつ、湯側パイロット弁体２５０に追従して同じ右方向に前進移動し、湯側主弁座２４２との間の間隙ＳＨを減少させ、混合室２３０への湯の流入量を連続的に減少変化させる。
【０１３６】
このとき、水側主弁体２４０は水側パイロット弁体２５２の図中右方向の後退移動により、水側パイロット弁体２５２との間に一定の微小な追従間隙を保持しつつ、水側パイロット弁体２５２の図中右方向の後退移動に追従して右方向に後退移動し、水側主弁座２４４との間の間隙ＳＣを連続的に増大させ、混合室２３０への水の流入量を増大変化させる。
そしてこれらによって、湯流入量に対する水流入量の比率を連続的に増大変化させ、混合水温度を連続的に低下させる。
【０１３７】
また逆に湯側パイロット弁体２５０が図中左方向に後退移動すると、湯側主弁体２３８がこれに追従して図中左方向に後退移動し、図２１（II）に示しているように湯側主弁座２４２との間の間隙ＳＨを連続的に増大させ、混合室２３０への湯の流入量を連続的に増大変化させる。
【０１３８】
またこのとき、水側パイロット弁体２５２は図中左方向に前進移動し、これに伴って水側主弁体２４０が水側パイロット弁体２５２に追従して図中左方向に前進移動し、水側主弁座２４４との間の間隙ＳＣを連続的に減少させ、混合室２３０への水の流入量を連続的に減少変化させる。
これにより混合水温度が連続的に上昇し、そして温度上昇した混合水が流出口２３４から流出する。
【０１３９】
図１８に示しているように、上記伝達機構１２におけるラック部材７２は、球面軸受部７４を介して作用軸６６に連結されている。
またこの実施形態においては、図１〜図１５の上記第１の実施形態の回転操作部１１３が、湯側パイロット弁体２５０及び湯側主弁体２３８の開弁量を調節することによって（つまりは混合弁２５８の位置調節によって）湯水の混合比率、即ち混合水温度を調節する温調操作部として構成され、また第１の実施形態におけるプッシュ操作部１５２が、湯側パイロット弁体２５０及び湯側主弁体２３８の開閉操作部（つまりは混合水吐水と水吐水との切替操作部）として構成されている。
【０１４０】
この実施形態では、回転操作部１１３を回転操作すると、その操作力が伝達機構１２を介して作用軸６６に伝えられ、作用軸６６が図中左右方向に進退移動させられる。
即ちこれと一体に構成された湯側パイロット弁体２５０，水側パイロット弁体２５２が互いに逆の関係で連続的に進退移動させられる。
そしてこれにより、湯側主弁体２３８と水側主弁体２４０とが互いに逆の関係で開弁量を大小変化させ、混合水温度を連続的に高低変化させる。
尚この実施形態においても、回転操作部１１３の回転操作によっては湯側主弁体２３８が閉弁状態とならないように、回転操作部１１３が回転規制されている。
【０１４１】
一方プッシュ操作部１５２をプッシュ操作、即ち押込操作するごとに、湯側パイロット弁体２５０及び湯側主弁体２３８が図２０に示す開弁状態と、図１８及び図１９に示す閉弁状態とに切り替り、且つ上記のスラストロック機構１７２によりそれぞれの状態に位置保持される。
即ち弁装置１０が、水のみを吐水する水吐水状態と、混合水を吐水する混合水吐水状態とに切り替る。
而して混合水吐水状態に切り替ったとき、湯側主弁体２３８及び水側主弁体２４０は前回調節済みの開弁量で開弁した状態となり、前回設定した混合水温度で混合水を流出させる。
【０１４２】
尚この例は、所謂ミキシングタイプの湯水混合弁装置の例であるが、本発明は、混合水温度の変化によって付勢力を変化させる感温ばねを有し、混合水温度を設定温度に自動的に調節する自動温度調節機能付きの湯水混合弁装置にも適用可能なものである。
【０１４３】
以上本発明の実施形態を詳述したがこれはあくまで一例示であり、本発明ではラッチ機構として上記スラスト機構に代えてハートカム機構その他の機構を用いることも可能である等、本発明はその趣旨を逸脱しない範囲において種々変更を加えた形態で構成可能である。
【図面の簡単な説明】
【０１４４】
【図１】本発明の一実施形態である遠隔操作式の水栓装置を備えた浴室の全体図である。
【図２】同実施形態の遠隔操作式の水栓装置を取付状態で示す斜視図である。
【図３】同実施形態における伝達機構の部分断面斜視図である。
【図４】同実施形態における操作装置の部分断面斜視図である。
【図５】同実施形態における弁装置の断面図である。
【図６】図５の弁装置の開弁状態を示す図である。
【図７】同弁装置の作用説明図である。
【図８】図７に続く作用説明図である。
【図９】図４の操作装置の側面断面図である。
【図１０】同実施形態における伝達機構を模式的に示した図である。
【図１１】同実施形態における操作装置を各部品に分解して示す斜視図である。
【図１２】同実施形態におけるスラストロック機構を各部品に分解して示す斜視図である。
【図１３】図１２の要部を更に拡大して示す図である。
【図１４】同実施形態におけるスラストロック機構の作用説明図である。
【図１５】図１４に続く作用説明図である。
【図１６】本発明の他の実施形態の要部を示した図である。
【図１７】本発明の更に他の実施形態を模式的に表した図である。
【図１８】本発明の更に他の実施形態の要部を示した図である。
【図１９】図１８の更に要部を拡大して示した図である。
【図２０】同実施形態を異なった作用状態で示した図である。
【図２１】同実施形態の作用説明図である。
【符号の説明】
【０１４５】
Ｗ  壁
３  上カウンタ部
４  連絡部
５  洗面器置台
６  水栓装置
７  操作装置
１０  弁装置
１２  伝達機構
３２  主弁体
４６  パイロット弁体
７２，８２，８５，８８  ラック部材
７８  コイルばね
８０，８６  ピニオンギヤ
１１３  回転操作部
１１４  回転部材
１２０  伸縮軸
１５２  プッシュ操作部
１６６  押込部材
１７２  スラストロック機構（ラッチ機構）
２００  連結部材
【図１】
0005159402.tif 000002
【図２】
0005159402.tif 000003
【図３】
0005159402.tif 000004
【図４】
0005159402.tif 000005
【図５】
0005159402.tif 000006
【図６】
0005159402.tif 000007
【図７】
0005159402.tif 000008
【図８】
0005159402.tif 000009
【図９】
0005159402.tif 000010
【図１０】
0005159402.tif 000011
【図１１】
0005159402.tif 000012
【図１２】
0005159402.tif 000013
【図１３】
0005159402.tif 000014
【図１４】
0005159402.tif 000015
【図１５】
0005159402.tif 000016
【図１６】
0005159402.tif 000017
【図１７】
0005159402.tif 000018
【図１８】
0005159402.tif 000019
【図１９】
0005159402.tif 000020
【図２０】
0005159402.tif 000021
【図２１】
0005159402.tif 000022